(57)【要約】      （修正有）【課題】種々の情報処理を行い、施設状況に関する有意義な情報を示すことが可能な情報処理装置を提供する。【解決手段】一の施設に関する施設情報を取得する施設情報取得部と、一の施設までの移動体の到着予想時刻を算出する到着時刻算出部と、到着予想時刻及び施設情報に基づいて、一の施設の状況を示す施設状況情報を生成する施設状況情報生成部と、を備える。【選択図】図１
2018185571.tif 000002
【特許請求の範囲】
【請求項１】
一の施設に関する施設情報を取得する施設情報取得部と、
前記一の施設までの移動体の到着予想時刻を算出する到着時刻算出部と、
前記到着予想時刻及び前記施設情報に基づいて、前記一の施設の状況を示す施設状況情報を生成する施設状況情報生成部と、を備えることを特徴とする情報処理装置。
【請求項２】
前記施設状況情報生成部は、前記到着予想時刻に基づいて所定の時刻を対象時刻として設定し、前記一の施設における前記対象時刻以降の前記施設状況情報を生成することを特徴とする請求項１に記載の情報処理装置。
【請求項３】
前記施設情報取得部は、前記施設情報として、前記一の施設の混雑度に関する情報を取得し、
前記施設状況情報生成部は、前記施設状況情報として、前記一の施設の混雑度を示す情報を生成することを特徴とする請求項１又は２に記載の情報処理装置。
【請求項４】
前記施設状況情報取得部は、前記施設情報として、前記一の施設のイベント催行時間に関する情報を取得し、
前記施設状況情報生成部は、前記施設状況情報として、前記対象時刻以降の時間が前記一の施設のイベント催行時間と重なるか否かを示す情報を生成することを特徴とする請求項２又は３に記載の情報処理装置。
【請求項５】
前記施設状況情報に基づいて、前記対象時刻以降に前記一の施設に滞在することに対する推奨度を示す推奨度情報を生成する滞在推奨度評価部を備えることを特徴とする請求項２乃至４のいずれか１つに記載の情報処理装置。
【請求項６】
前記施設状況情報取得部は、前記施設情報として、前記一の施設の周辺の他の施設に関する情報を取得し、
前記滞在推奨度評価部は、前記一の施設に対する前記推奨度が所定以下の場合、前記他の施設の情報を含む周辺施設情報を生成することを特徴とする請求項５に記載の情報処理装置。
【請求項７】
一の施設に関する施設情報を取得するステップと、
前記一の施設までの移動体の到着予想時刻を算出するステップと、
前記到着予想時刻及び前記施設情報に基づいて、前記一の施設の状況を示す施設状況情報を生成するステップと、を含むことを特徴とする情報処理方法。
【請求項８】
コンピュータを、
一の施設に関する施設情報を取得する施設情報取得部と、
前記一の施設までの移動体の到着予想時刻を算出する到着時刻算出部と、
前記到着予想時刻及び前記施設情報に基づいて、前記一の施設の状況を示す施設状況情報を生成する施設状況情報生成部と、として機能させることを特徴とするプログラム。
【発明の詳細な説明】
【技術分野】
【０００１】
本発明は、施設に関する情報処理を行う情報処理装置、情報処理方法及びプログラムに関する。
【背景技術】
【０００２】
従来から、特定の対象物に関する種々の情報を入手して、これらの情報を用途に応じて取捨選択する情報処理技術が知られている。例えば、特許文献１には、利用者の入力を基に１つ以上のデータベースを同時並列に検索する検索並列化装置を含む情報検索装置が開示されている。
【先行技術文献】
【特許文献】
【０００３】
【特許文献１】特許第2940494号公報
【発明の概要】
【発明が解決しようとする課題】
【０００４】
ところで、近年においては、例えば自動車などの車両には、目的地への当該車両の移動を案内するナビゲーション装置が搭載されることが一般化している。また、例えばスマートフォンなどの携帯端末用のアプリケーションとして、目的地への歩行者の移動を案内するナビゲーションプログラムが知られている。これによって、ユーザ（例えば車両の運転者やスマートフォンの使用者）は、特定の施設を目的地として指定することで、当該施設までの移動経路や所要時間などを把握することができる。
【０００５】
ここで、ユーザが目的地として指定する施設においては、例えば混雑度など、時間毎に状況が変化することが考えられる。従って、例えば、当該施設で有意義な時間を過ごすことを考慮すると、ユーザは、当該施設の状況を把握できることが好ましい。
【０００６】
本発明は上記した点に鑑みてなされたものであり、種々の情報処理を行い、施設状況に関する有意義な情報を示すことが可能な情報処理装置、情報処理方法及びプログラムを提供することを課題の１つとしている。
【課題を解決するための手段】
【０００７】
請求項１に記載の発明は、一の施設に関する施設情報を取得する施設情報取得部と、一の施設までの移動体の到着予想時刻を算出する到着時刻算出部と、到着予想時刻及び施設情報に基づいて、一の施設の状況を示す施設状況情報を生成する施設状況情報生成部と、を備えることを特徴としている。
【０００８】
また、請求項７に記載の発明は、一の施設に関する施設情報を取得するステップと、一の施設までの移動体の到着予想時刻を算出するステップと、到着予想時刻及び施設情報に基づいて、一の施設の状況を示す施設状況情報を生成するステップと、を含むことを特徴としている。
【０００９】
また、請求項８に記載の発明は、コンピュータを、一の施設に関する施設情報を取得する施設情報取得部と、一の施設までの移動体の到着予想時刻を算出する到着時刻算出部と、到着予想時刻及び施設情報に基づいて、一の施設の状況を示す施設状況情報を生成する施設状況情報生成部と、として機能させることを特徴としている。
【図面の簡単な説明】
【００１０】
【図１】（ａ）は実施例１に係る情報処理装置のブロック図である。
【図２Ａ】実施例１に係る情報処理装置の施設情報取得部のブロック図である。
【図２Ｂ】実施例１に係る情報処理装置の施設状況情報生成部のブロック図である。
【図３Ａ】実施例１に係る情報処理装置の施設情報取得部が取得する情報の例を模式的に示す図である。
【図３Ｂ】実施例１に係る情報処理装置の施設情報取得部が取得する情報の例を模式的に示す図である。
【図３Ｃ】実施例１に係る情報処理装置によって取得及び生成される情報の例を模式的に示す図である。
【図４Ａ】実施例１に係る情報処理装置の滞在推奨度評価部のブロック図である。
【図４Ｂ】実施例１に係る情報処理装置が付与する滞在満足度の評価点を示すテーブルを模式的に示す図である。
【図４Ｃ】実施例１に係る情報処理装置が生成する推奨情報の例を模式的に示す図である。
【図５】実施例１に係る情報処理装置による動作フローを示す図である。
【図６】実施例２に係る情報処理システムのブロック図である。
【発明を実施するための形態】
【００１１】
以下に本発明の実施例について詳細に説明する。
【実施例１】
【００１２】
図１は、実施例１に係る情報処理装置１０のブロック図である。本実施例においては、情報処理装置１０は、外部のデータベース（外部データベース）２０にアクセス可能なように構成されている。例えば、情報処理装置１０は、データベース２０を含む外部の情報源にアクセスする通信機能を有する。情報処理装置１０は、当該データベース２０から情報を取得し、また、情報処理装置１０の内部に記憶されている情報を参照しつつ、種々の情報に対して情報処理を行う。
【００１３】
本実施例においては、情報処理装置１０は、移動体（図示せず）の移動案内を行うナビゲーション装置として機能する。例えば、移動体は、自動車やバイク、自転車などの車両である。この場合、情報処理装置１０は、当該車両に搭載され、当該車両の目的地までの走行案内を行うカーナビゲーションシステムである。また、例えば、移動体は、歩行者であってもよい。この場合、情報処理装置１０は、当該歩行者が携帯し、当該歩行者の目的地までの歩行案内を行うアプリケーションがインストールされたスマートフォンである。
【００１４】
情報処理装置１０は、情報処理の対象となる施設（対象施設、一の施設）に関する少なくとも１つの情報（施設情報）を取得する施設情報取得部１１を有する。本実施例においては、施設情報取得部１１は、ユーザ（例えば車両の搭乗者やスマートフォンの使用者）が移動しようとしている目的地に対応する施設を取得対象施設とし、当該対象施設に関する情報を取得する。なお、施設情報取得部１１は、複数の対象施設の各々に関する施設情報を取得してもよい。
【００１５】
本実施例においては、情報処理装置１０は、ユーザから当該対象施設を指定（選択）する入力操作を受付ける入力操作受付部（図示せず）を有する。例えば、当該入力操作受付部は、タッチパネル式のディスプレイ、ボタン及びマイクなどである。
【００１６】
情報処理装置１０は、対象施設までの移動体の移動経路を探索する経路探索部１２を有する。本実施例においては、情報処理装置１０は、移動体の現在地を示す情報（現在地情報）を取得する位置情報取得部（図示せず）を有する。例えば、当該位置情報取得部は、ＧＰＳ（Global Positioning System）受信機を有し、移動体の位置を示す緯度及び経度を算出する。経路探索部１２は、当該位置情報取得部から得た移動体の現在地から対象施設までの移動経路を所定の条件に従って探索する。
【００１７】
情報処理装置１０は、移動体の対象施設までの到着予想時刻を算出する到着時刻算出部１３を有する。本実施例においては、到着時刻算出部１３は、経路探索部１２が探索した移動経路に従って所定の速度で移動体が移動した場合の対象施設までの所要時間を算出する。そして、到着時刻算出部１３は、現在時刻及び当該所要時間に基づいて移動体が対象施設に到着することが予想される時刻を算出する。
【００１８】
例えば、到着時刻算出部１３は、経路探索部１２から移動経路に関する情報を取得した後、当該移動経路に沿って移動した場合の対象施設までの所要時間を算出する。そして、到着時刻算出部１３は、出発時刻（例えば、経路探索部１２から経路情報を取得した時刻又はユーザから指定された時刻）を定め、対象施設までの所要時間を元に到着予想時刻を算出する。
【００１９】
情報処理装置１０は、到着時刻算出部１３によって算出された到着予想時刻に基づいて所定の時刻を対象時刻として設定し、施設情報取得部１１が取得した施設情報に基づいて、当該対象時刻以降の対象施設の状況を示す施設状況情報を生成する施設状況情報生成部１４を有する。施設状況情報生成部１４は、例えば、移動体が対象施設に到着する時刻及びその後所定時間が経過するまでの間に予測される対象施設の状況を示す情報を生成する。
【００２０】
なお、施設状況情報生成部１４が設定する対象時刻は、到着予想時刻及び到着後の施設内の移動時間（例えば駐車場に到着してから入口までの所要時間）などに基づいて定められることができる。例えば、当該対象時刻は、到着予想時刻であってもよいし、到着予想時刻から所定時間経過後の時刻であってもよい。
【００２１】
情報処理装置１０は、施設状況情報生成部１４が生成した施設状況情報に基づいて、当該対象時刻から当該対象施設に滞在することを条件とし、当該対象施設に滞在することを推奨する度合である滞在推奨度を評価する滞在推奨度評価部１５を有する。例えば、滞在推奨度評価部１５は、当該到着予想時刻に当該対象施設に到着し、当該対象時刻から当該対象施設に所定時間滞在した場合の予想満足度を評価する。また、滞在推奨度評価部１５は、当該予想満足度に基づいて当該対象施設での滞在推奨度を判定する。
【００２２】
情報処理装置１０は、施設状況情報生成部１４が生成した施設状況情報を提示する提示部１６を有する。提示部１６は、ユーザに対し、施設状況情報を表示や音声出力などによって提示する。例えば、提示部１６は、ディスプレイに施設状況情報を表示する表示データを生成する。なお、提示部１６は、当該施設状況情報に加え、滞在推奨度評価部１５が評価した対象施設の滞在推奨度を提示してもよい。
【００２３】
情報処理装置１０は、移動体の対象施設への移動案内を行うナビゲーション機能部１７を有する。例えば、ナビゲーション機能部１７は、経路探索部１２が探索した対象施設への経路に沿って移動体の移動を案内する処理を行う。
【００２４】
また、情報処理装置１０は、情報処理装置１０内に対象施設を含む複数の施設に関する施設情報をデータベース（内部データベース）１８として有する。施設情報取得部１１は、データベース１８から対象施設の施設情報を施設データ（内部施設データ）ＤＴ１として取得する。また、本実施例においては、施設情報取得部１１は、データベース２０から施設データ（外部施設データ）ＤＴ２を取得する。
【００２５】
図２Ａは、施設情報取得部１１のブロック図である。施設情報取得部１１は、対象施設の施設情報（施設データＤＴ１及びＤＴ２）を取得するためにデータベース内を検索するデータ検索部１１Ａを有する。データ検索部１１Ａは、データベース１８内のデータ検索を行う内部データ検索部１１Ａ１と、データベース２０内のデータ検索を行う外部データ検索部１１Ａ２とを有する。外部データ検索部１１Ａ２は、例えばインターネットを介してデータベース２０にアクセスし、データベース２０内のデータ検索を行う。
【００２６】
また、施設情報取得部１１は、内部データ検索部１１Ａ１が検索したデータ（例えば施設データＤＴ１）及び外部データ検索部１１Ａ２が検索したデータ（例えば施設データＤＴ２）をマージするデータマージ部１１Ｂを有する。本実施例においては、データマージ部１１Ｂは、内部データ検索部１１Ａ１によって検索されたデータ及び外部データ検索部１１Ａ２によって検索されたデータに対し、重複する部分の一方（例えば古いデータ）を除去しつつ両者を併合したマージデータを生成する。
【００２７】
また、図２Ｂは、施設状況情報生成部１４のブロック図である。施設状況情報生成部１４は、施設状況情報を生成する対象となる時刻（対象時刻）を設定する対象時刻設定部１４Ａを有する。また、施設状況情報生成部１４は、対象時刻設定部１４Ａによって設定された対象時刻以降の対象施設の状況を予測する施設状況予測部１４Ｂを有する。
【００２８】
本実施例においては、対象時刻設定部１４Ａは、到着時刻算出部１３（図１）が算出した対象施設までの到着予想時刻に基づいて所定の時刻を対象時刻として設定する。施設状況予測部１４Ｂは、施設情報取得部１１が取得した施設情報（本実施例においてはデータマージ部１１Ｂが生成したマージデータ）を参照し、対象時刻設定部１４Ｂが設定した対象時刻及びその後所定時間の対象施設の状況を予測する。施設状況予測部１４Ｂは、当該予測した施設状況を示す情報を施設状況情報として生成する。
【００２９】
図３Ａは、施設情報取得部１１の内部データ検索部１１Ａ１がデータベース１８から検索した施設情報（施設データＤＴ１）の例を模式的に示す図である。図３Ｂは、施設情報取得部１１の外部データ検索部１１Ａ２がデータベース２０から検索した施設情報（施設データＤＴ２）の例を模式的に示す図である。また、図３Ｃは、施設情報取得部１１が取得する施設情報及び施設状況情報生成部１４が生成する施設状況情報の例を模式的に示す図である。
【００３０】
まず、図３Ａ及び図３Ｂに示すように、例えば、施設情報取得部１１は、施設情報として、データベース１８及び２０の両方から、対象施設の名称である施設名ＮＡ、対象施設の分類であるカテゴリＣＡ及び対象施設の位置情報である位置ＰＯに関する情報を取得する。従って、本実施例においては、施設名ＮＡ、カテゴリＣＡ及び位置ＰＯに関する情報は、図３Ｃに示すように、データマージ部１１Ｂによってその一方（例えば古い情報）が除去される。
【００３１】
また、図３Ａに示すように、内部データ検索部１１Ａ１が対象施設の営業時間ＯＰに関する情報をデータベース１８のみから検索した場合を考える。この場合、データマージ部１１Ｂは、図３Ｃに示すように、この営業時間ＯＰに関する情報を施設情報として取得するマージ処理を行う。
【００３２】
また、図３Ｂに示すように、外部データ検索部１１Ａ２が対象施設のセール時間ＳＡ及び混雑度ＣＯに関する情報をデータベース２０のみから検索した場合を考える。この場合、データマージ部１１Ｂは、図３Ｃに示すように、このセール時間ＳＡ及び混雑度ＣＯに関する情報を施設情報として取得するマージ処理を行う。
【００３３】
なお、データマージ部１１Ｂは、例えば、まず、施設名ＮＡ、カテゴリＣＡ及び位置ＰＯに基づいて、施設データＤＴ１と施設データＤＴ２との照合を行う。そして、データマージ部１１Ｂは、施設データＤＴ１及びＤＴ２が同一の施設に関する情報を含む場合、施設データＤＴ１及びＤＴ２をマージする。
【００３４】
また、図３Ｃに示すように、施設状況情報生成部１４の対象時刻設定部１４Ａは、対象時刻ＴＩとして、施設状況予測部１４Ｂが予測する施設状況の時刻を設定する。例えば、対象時刻設定部１４Ａは、到着予想時刻以降の所定の時刻を対象時刻ＴＩとして設定する。
【００３５】
そして、施設状況予測部１４Ｂは、施設情報取得部１１が取得した施設情報を元に、対象時刻ＴＩ以降の対象施設の状況を予測する。また、施設状況予測部１４Ｂは、当該予測した施設状況を示す施設状況情報ＳＩを生成する。
【００３６】
例えば、施設情報取得部１１は、名称ＡＡＡ及びＢＢＢを施設名ＮＡとする２つのショッピングモールを対象施設として、当該ショッピングモールＡＡＡ及びＢＢＢに関する営業時間ＯＰ、セール時間ＳＡ及び混雑度ＣＯを示す施設情報を取得する。
【００３７】
そして、施設状況情報生成部１４は、到着予想時刻を元に対象時刻ＴＩを設定し、この対象時刻ＴＩ以降のショッピングモールＡＡＡ及びＢＢＢの滞在可能時間、予測される混雑度を施設状況情報ＳＩとして生成する。また、施設状況情報生成部１４は、施設状況情報ＳＩとして、ショッピングモールＡＡＡ及びＢＢＢの対象時刻ＴＩ以降の時間がセール時間と重なるか否かを示す情報を生成する。
【００３８】
なお、施設情報取得部１１が取得する施設情報は、図３Ｃに示した情報に限定されない。例えば、施設情報取得部１１は、施設情報として、対象施設の近傍の気候（例えば天気や気温）に関する情報を取得してもよい。
【００３９】
また、例えば、施設情報取得部１１は、対象施設の混雑度について、リアルタイムの混雑情報や、時間毎の混雑度の過去の統計情報を取得してもよい。また、例えば、施設情報取得部１１は、対象施設の混雑度について、リアルタイムの混雑度及び当該混雑度が所定以下となる時刻に関する情報を取得してもよい。
【００４０】
また、施設情報取得部１１は、対象施設の営業時間や混雑度のみならず、対象施設の周辺の他の施設に関する情報、例えば対象施設の周辺に位置しかつ当該対象施設と同様のカテゴリに分類される他の施設、当該他の施設の営業時間及び混雑度に関する情報を取得してもよい。また、施設情報取得部１１は、例えば、対象施設のセール時間のみならず、対象施設で催行されるイベントの情報（例えばイベント催行時間）を施設情報として取得してもよい。
【００４１】
また、施設状況情報生成部１４の対象時刻設定部１４Ａが設定する対象時刻ＴＩは、到着予想時刻に基づいていればよい。また、施設状況情報生成部１４が生成する施設状況情報ＳＩは、対象時刻ＴＩ以降の所定の時間における情報であればよい。例えば、施設状況情報生成部１４は、対象時刻ＴＩから数時間の間の情報を施設状況情報ＳＩとして生成してもよく、また、対象施設の閉店時刻までの情報を施設状況情報ＳＩとして生成してもよい。また、施設状況情報生成部１４は、ユーザから対象施設での滞在時間に関する情報を取得し、これに基づいた時刻までの施設状況情報ＳＩを生成してもよい。
【００４２】
また、施設状況情報生成部１４は、施設状況予測部１４Ｂによって、対象時刻ＴＩ以降すなわち所定時間後における施設状況情報ＳＩを生成する場合について説明した。しかし、例えば、移動体が対象施設から所定距離以下の場所に位置している場合、施設状況予測部１４Ｂは、施設情報取得部１１が取得した施設情報に基づいて、現在の施設状況を施設状況情報ＳＩとして生成してもよい。すなわち、施設状況情報生成部１４は、移動体が既に対象施設（目的地）の周辺に位置している場合は、対象時刻ＴＩに関わらず現在の施設状況を施設状況情報ＳＩとして生成してもよい。
【００４３】
図４Ａは、滞在推奨度評価部１５のブロック図である。本実施例においては、滞在推奨度評価部１５は、施設状況情報生成部１４が設定した対象時刻ＴＩ以降に対象施設に滞在した場合に予想される満足度を評価する滞在満足度評価部１５Ａを有する。本実施例においては、滞在満足度評価部１５Ａは、施設状況情報生成部１４が生成した施設状況情報ＳＩの項目毎に滞在満足度の評価点を付与する満足度評価テーブルを有し、当該テーブルに基づいて施設状況情報ＳＩの滞在満足度を評価する。
【００４４】
また、滞在推奨度評価部１５は、滞在満足度評価部１５Ａが付与した滞在満足度の評価点に基づいて対象施設での滞在を推奨する推奨度を判定する滞在推奨度判定部１５Ｂを有する。滞在推奨度判定部１５Ｂは、評価された滞在満足度に基づいて滞在推奨度を複数のレベルに分類する。
【００４５】
また、滞在推奨度評価部１５は、滞在推奨度判定部１５Ｂによって判定された滞在推奨度に基づいて、対象施設での滞在を推奨するか否かを示す情報である推奨情報を生成する推奨情報生成部１５Ｃを有する。例えば、推奨情報生成部１５Ｃは、所定のレベル以上の滞在推奨度であると判定された場合には対象施設での滞在を推奨することを促す情報を推奨情報として生成する。一方、推奨情報生成部１５Ｃは、他のレベルの滞在推奨度であると判定された場合には、例えば、対象施設とは異なる他の施設を推奨すること、又は他の時間帯（時間範囲）を推奨することを促す情報を推奨情報として生成する。
【００４６】
図４Ｂは、滞在満足度評価部１５Ａが有する満足度評価テーブルの例を示す図である。滞在満足度評価部１５Ａは、施設状況情報ＳＩの項目毎に、滞在満足度を評価する個別評価点ＳＣを付与する。例えば、図４Ｂに示すように、滞在可能時間が０時間、すなわち到着時には対象施設が営業時間外となっている場合、この滞在可能時間を示す施設状況情報ＳＩには０点の個別評価点ＳＣを付与する。同様に、滞在満足度評価部１５Ａは、滞在可能時間や混雑度、セール時間などの施設状況情報ＳＩの各項目に対して個別評価点ＳＣを付与する。
【００４７】
図４Ｃは、滞在推奨度判定部１５Ｂによる推奨度判定テーブル及びこれに基づいて推奨情報生成部１５Ｃによって生成される推奨情報の例を示す図である。例えば、滞在推奨度判定部１５Ｂは、滞在満足度評価部１５Ｂが付与した個別評価点ＳＣの平均値である平均評価点ＡＶに基づいて、滞在推奨度ＲＥを３つのレベルに分類する。
【００４８】
例えば、滞在推奨度判定部１５Ｂは、平均評価点ＡＶが１．５点を超える場合は、高レベルの滞在推奨度ＲＥを有する対象施設であると判定する。また、滞在推奨度判定部１５Ｂは、平均評価点ＡＶが１点〜１．５点の範囲内である場合は中レベルの滞在推奨度ＲＥ、１点未満の場合は低レベルの滞在推奨度ＲＥであると判定する。このように、滞在推奨度評価部１５は、対象時刻ＴＩ以降に対象施設に滞在することに対する推奨度である滞在推奨度ＲＥを示す推奨度情報を生成する。
【００４９】
また、推奨情報生成部１５Ｃは、滞在推奨度ＲＥに基づいて、対象時刻ＴＩ以降に対象施設に滞在することを推奨するか否かを示す推奨情報ＳＵを生成する。例えば、滞在推奨度ＲＥが高レベルであると判定された場合、対象時刻ＴＩ以降に対象施設に滞在することを推奨する推奨情報ＳＵを生成する。
【００５０】
また、本実施例においては、推奨情報生成部１５Ｃは、滞在推奨度ＲＥが中レベルであると判定された場合、対象施設の他の時間帯又は対象施設の周辺の他の施設に関する周辺施設情報を推奨情報ＳＵとして生成する。また、本実施例においては、推奨情報生成部１５Ｃは、滞在推奨度ＲＥが低レベルであると判定された場合、周辺施設情報を生成した上で、他の施設又は時間帯を推奨する情報を推奨情報ＳＵとして生成する。
【００５１】
図５は、情報処理装置１０による動作フロー（情報処理フロー）を示す図である。情報処理装置１０は、ユーザが目的地を指定することで動作を開始する。まず、施設情報取得部１１は、当該目的地を対象施設とし、当該対象施設に関する少なくとも１つの施設情報を取得する（ステップＳ１１）。次に、到着時刻算出部１３は、対象施設までの移動体の到着予想時刻を算出する（ステップＳ１２）。
【００５２】
次に、施設状況情報生成部１４は、到着予想時刻に基づいて所定の時刻を対象時刻ＴＩとして設定し、当該対象時刻ＴＩ以降の対象施設の状況を示す施設状況情報ＳＩを生成する（ステップＳ１３）。また、滞在推奨度評価部１５は、対象時刻ＴＩ以降に対象施設に滞在することに対する推奨度である滞在推奨度ＲＥを評価する（ステップＳ１４）。
【００５３】
続いて、提示部１６は、ユーザに対し、施設状況情報ＳＩ（及び滞在推奨度ＲＥ）を提示する（ステップＳ１５）。次に、ナビゲーション機能部１７は、ユーザの指定に基づいて、対象施設までの移動を案内する（ステップＳ１６）。
【００５４】
このように、本実施例においては、情報処理装置１０は、施設状況情報生成部１４によって移動体が対象施設に到着する頃の当該対象施設の状況を示す情報を生成する。従って、ユーザは、目的地となる施設に到着した際に当該施設がどのような状況にあるかを容易に予測することができる。
【００５５】
また、施設情報取得部１１は、施設情報として、対象施設の混雑度ＣＯを示す情報を取得する。従って、例えば、施設状況情報生成部１４は、対象施設における到着時の施設内混雑度や駐車場混雑度など、ユーザにとって有益な情報を生成することができる。
【００５６】
また、施設情報取得部１１は、施設情報として、対象施設のセール時間ＳＡなど、対象施設でのイベント催行時間に関する情報を取得する。また、施設状況情報生成部１４は、施設状況情報ＳＩとして、対象時刻ＴＩ以降の時間が対象施設のイベント催行時間と重なるか否かを示す情報を生成する。従って、対象施設に滞在した際の有益な情報をユーザに提供することができる。
【００５７】
また、情報処理装置１０は、対象時刻ＴＩ以降に対象施設に滞在することに対する推奨度ＲＥを示す推奨度情報を生成する滞在推奨度評価部１５を有する。従って、例えば、ユーザは、対象施設に向かって移動するか否か、また対象施設にいつ頃訪問するかなどを容易に判断することができる。
【００５８】
また、施設状況情報取得部１１は、施設情報として、対象施設の周辺の他の施設に関する情報を取得する。また、滞在推奨度評価部１５は、対象施設における推奨度ＲＥが所定以下の場合、当該他の施設の情報を含む周辺施設情報を生成する。これによって、ユーザに対し、対象施設の周辺の情報を含めた有益な情報を提供することができる。
【００５９】
なお、本実施例においては、情報処理装置１０がナビゲーション装置に実装される場合について説明した。しかし、情報処理装置１０は、ナビゲーション装置以外の他の装置として機能していてもよい。例えば、情報処理装置１０は、ナビゲーション装置と連携して施設状況情報を生成する他の装置に実装されてもよい。
【００６０】
図６は、実施例１の変形例に係る情報処理装置１０Ａのブロック図である。本実施例においては、情報処理装置１０Ａは、ナビゲーション装置４０に接続されたサーバに実装されている。また、情報処理装置１０Ａは、ナビゲーション装置４０とともに情報処理システム３０を構成する。
【００６１】
換言すれば、情報処理システム３０は、情報処理装置１０Ａ及びナビゲーション装置４０からなる。本変形例においては、情報処理装置１０Ａは、情報処理装置１０と同様に、内部にデータベース１８を有し、また、外部のデータベース２０にアクセスする通信機能を有する。
【００６２】
本変形例においては、情報処理装置１０Ａは、情報処理装置１０と同様の施設情報取得部１１、到着時刻算出部１３、施設状況情報生成部１４及び滞在推奨度評価部１５を有する。また、本変形例においては、ナビゲーション装置４０は、情報処理装置１０と同様の施設情報取得部１１、経路探索部１２、提示部１６及びナビゲーション機能部１７を有する。
【００６３】
また、ナビゲーション装置４０は移動体に搭載され、情報処理装置１０Ａは当該移動体の外部に設置されることができる。また、例えば、情報処理装置１０Ａは、例えば、ナビゲーション装置４０との間で通信を行う。
【００６４】
本変形例においては、例えば、ユーザは、ナビゲーション装置４０を操作し、ナビゲーション装置４０に対して対象施設の指定を行う。情報処理装置１０Ａは、当該指定された対象施設に関する情報を受信し、さらにデータベース１８及び２０から施設情報を取得する。また、ナビゲーション装置４０は、経路探索部１２によって対象施設までの移動経路を探索し、この移動経路に関する情報を情報処理装置１０Ａに送信する。
【００６５】
また、情報処理装置１０Ａは、到着時刻算出部１３によって対象施設までの移動体の到着予想時刻を算出する。そして、施設状況情報生成部１４は施設状況情報ＳＩを生成し、滞在推奨度評価部１５は滞在推奨度ＲＥを評価する。換言すれば、本変形例においては、情報処理装置１０Ａは、例えば、図５に示すステップＳ１１〜Ｓ１４を実行する。
【００６６】
そして、情報処理装置１０Ａは、施設状況情報生成部１４が生成した施設状況情報ＳＩ、滞在推奨度評価部１５が評価又は生成した滞在推奨度ＲＥ及び推奨情報ＳＵを、ナビゲーション装置４０に送信する。ナビゲーション装置４０は、提示部１６によって、移動体のユーザに対して上記した情報を提示する。また、ナビゲーション装置４０は、ユーザの選択に応じ、ナビゲーション機能部１７によって対象施設までの移動案内を行う。
【００６７】
このように、情報処理装置１０Ａは、到着予想時刻を算出するための移動経路を外部（ナビゲーション装置４０）から取得してもよい。また、情報処理装置１０Ａが提示部１６を有さず、施設状況情報生成部１４が生成した施設状況情報ＳＩの提示を外部に命令してもよい。また、情報処理装置１０Ａが移動体の外部に設けられていてもよい。
【００６８】
また、本実施例及びその変形例においては、情報処理装置１０及び１０Ａが滞在推奨度評価部１５を有する場合について説明した。しかし、情報処理装置１０又は１０Ａには、施設状況情報生成部１４が設けられていればよい。これによって、ユーザに対して到着可能な時刻における対象施設の状況を提供することができる。
【００６９】
また、本実施例及びその変形例においては、情報処理装置１０及び１０Ａが内部にデータベース１８を有する場合について説明した。しかし、情報処理装置１０又は１０Ａは、データベース１８を有していなくてもよい。例えば、施設情報取得部１１は、外部のデータベースのみ（例えばデータベース２０のみ）から施設情報を取得してもよい。施設情報取得部１１は、対象施設に関する少なくとも１つの情報を任意の検索可能な情報源から取得すればよい。
【００７０】
また、本実施例及びその変形例においては、施設状況情報生成部１４が対象施設までの到着予想時刻に基づいて所定の時刻を対象時刻ＴＩとして設定し、当該対象施設における対象時刻ＴＩ以降の施設状況情報ＳＩを生成する場合について説明した。しかし、施設状況情報生成部１４は、到着予想時刻算出部１３によって算出された到着予想時刻と、施設情報取得部１１によって取得された施設情報と、に基づいて対象施設の施設状況情報ＳＩを生成すればよい。これによって、ユーザにとって有益な情報が提供されることができる。
【００７１】
上記したように、情報処理装置１０又は１０Ａは、一の施設に関する施設情報を取得する施設情報取得部１１と、当該一の施設までの移動体の到着予想時刻を算出する到着時刻算出部１３と、到着予想時刻及び施設情報に基づいて、当該一の施設の状況を示す施設状況情報ＳＩを生成する施設状況情報生成部１４とを備えている。従って、種々の情報処理を行い、施設状況に関する有意義な情報を示すことが可能な情報処理装置１０及び１０Ａを提供することができる。
【００７２】
また、本発明は、例えば図５に示すステップを経ることで、情報処理方法として実施することができる。例えば、本発明に係る情報処理方法は、一の施設に関する施設情報を取得するステップＳ１１と、当該一の施設までの移動体の到着予想時刻を算出するステップＳ１２と、到着予想時刻及び施設情報に基づいて、当該一の施設の状況を示す施設状況情報ＳＩを生成するステップＳ１３とを含む。これによって、種々の情報処理を行い、施設状況に関する有意義な情報を示すことが可能な情報処方法を提供することができる。
【００７３】
また、本発明は、コンピュータを情報処理装置１０又は１０Ａとして機能させるプログラムとして実施することができる。例えば、本発明に係るプログラムは、コンピュータを、一の施設に関する施設情報を取得する施設情報取得部１１と、当該一の施設までの移動体の到着予想時刻を算出する到着時刻算出部１３と、到着予想時刻及び施設情報に基づいて、当該一の施設の状況を示す施設状況情報ＳＩを生成する施設状況情報生成部１４として機能させる。従って、種々の情報処理を行い、施設状況に関する有意義な情報を示すことが可能なプログラムを提供することができる。
【符号の説明】
【００７４】
１０、１０Ａ  情報処理装置
１１  施設情報取得部
１３  到着時刻算出部
１４  施設状況情報生成部
１５  滞在推奨度評価部
【図１】
2018185571.tif 000003
【図２Ａ】
2018185571.tif 000004
【図２Ｂ】
2018185571.tif 000005
【図３Ａ】
2018185571.tif 000006
【図３Ｂ】
2018185571.tif 000007
【図３Ｃ】
2018185571.tif 000008
【図４Ａ】
2018185571.tif 000009
【図４Ｂ】
2018185571.tif 000010
【図４Ｃ】
2018185571.tif 000011
【図５】
2018185571.tif 000012
【図６】
2018185571.tif 000013